(57)【要約】      （修正有）【課題】転写シート及び加飾シートを形成させた成形同時加飾成形品の製造方法及び金型を提供する。【解決手段】転写層が設けられた転写シート２をエジェクタピンが付設されている射出成形金型のＡ金型５に配置し、加飾層が設けられた加飾シート３を射出成形金型のＢ金型６に配置した後、Ａ金型とＢ金型との型閉めにより成形用空間部１２を形成し、該成形用空間部に成形樹脂７を注入して射出成形品を形成すると同時に転写シートおよび加飾シートを一体化形成させる成形同時加飾成形品の製造方法であって、型開き後に成形同時加飾成形品が射出成形金型のＡ金型に保持されるようにしたことを特徴とする成形同時加飾成形品の製造方法である。【選択図】図１
2005104002.tif 000002
【特許請求の範囲】
【請求項１】
転写層が設けられた転写シートをエジェクタピンが付設されている射出成形金型のＡ金型に配置し、加飾層が設けられた加飾シートを射出成形金型のＢ金型に配置した後、Ａ金型とＢ金型との型閉めにより成形用空間部を形成し、該成形用空間部に成形樹脂を注入して射出成形品を形成すると同時に転写シートおよび加飾シートを一体化形成させる成形同時加飾成形品の製造方法であって、型開き後に成形同時加飾成形品が射出成形金型のＡ金型に保持されるようにしたことを特徴とする成形同時加飾成形品の製造方法。
【請求項２】
前記請求項１に記載の成形同時加飾成形品の製造方法に用いる転写シートおよび加飾シートであって、転写シートの転写層の離型重さが加飾シートのＢ金型からの離型重さの１．１倍以上であることを特徴とする転写シートおよび加飾シート。
【請求項３】
前記請求項１に記載の成形同時加飾成形品の製造方法に用いる射出成形金型であって、Ｂ金型に型開きと同時に作動する第二エジェクタピンが付設されていることを特徴とする射出成形金型。
【発明の詳細な説明】
【背景技術】
【０００１】
成形同時転写法は、射出成形金型のＡ金型とＢ金型との間に基体シート上に転写層を備えた転写シートを配置し、Ａ金型とＢ金型との型閉めにより形成した成形用空間内に成形樹脂を注入して射出成形品を形成すると同時に射出成形品の表面に転写層を一体化接着させる方法である。
【０００２】
そして、最近では、意匠性の向上や成形樹脂表面の物性向上のニーズから、特許文献１のような成形樹脂層の片面のみならず、両面に転写層を設ける成形同時転写法が脚光を浴びている。このような成形同時転写法の場合には、転写シートをＡ金型およびＢ金型の両方の射出成形金型に配置し、成形樹脂を注入するのが一般的である。
【０００３】
【特許文献１】特開平６−９９４５７号
【発明の開示】
【発明が解決しようとする課題】
【０００４】
しかし、成形樹脂層の両面に転写層を形成する場合、型開きに際し、得られる成形同時転写成形品が、Ａ金型の側に保持されたり、Ｂ金型の側に保持されたり、あるいはどちらにも保持されずに型開きと同時に射出成形金型から落してしまうことがあり、大量生産時おいて連続的かつ安定的に成形同時両面転写成形品を回収することが困難になる問題が生じていた。
【課題を解決するための手段】
【０００５】
そこで、本発明者は、前記課題を解決するために次のような発明をした。
【０００６】
本発明の第１態様は、転写層が設けられた転写シートをエジェクタピンが付設されている射出成形金型のＡ金型に配置し、加飾層が設けられた加飾シートを射出成形金型のＢ金型に配置した後、Ａ金型とＢ金型との型閉めにより成形用空間部を形成し、該成形用空間部に成形樹脂を注入して射出成形品を形成すると同時に転写シートおよび加飾シートを一体化形成させる成形同時加飾成形品の製造方法であって、型開き後に成形同時加飾成形品が射出成形金型のＡ金型に保持されるようにしたことを特徴とする成形同時加飾成形品の製造方法である。
【０００７】
また、本発明の第２態様は、前記成形同時加飾成形品の製造方法に用いる転写シートおよび加飾シートであって、転写シートの転写層の離型重さが加飾シートのＢ金型からの離型重さの１．１倍以上であることを特徴とする転写シートおよび加飾シートである。
【０００８】
また、本発明の第３態様は、前記成形同時加飾成形品の製造方法に用いる射出成形金型であって、Ｂ金型に型開きと同時に作動する第二エジェクタピンが付設されていることを特徴とする射出成形金型である。
【発明の効果】
【０００９】
したがって、本発明の成形同時加飾成形品の製造方法によれば、得られる成形同時加飾成形品が絶えずＡ金型の側に保持され、Ａ金型の側に付設されているエジェクタピンによって、成形同時加飾成形品を突き出すことができるため、回収装置が常に同じ方向で作動することができるので、大量生産時において連続的かつ安定的に成形同時加飾成形品を回収することができる効果がある。
【００１０】
また、本発明に係る転写シート、加飾シートおよび射出成形金型によれば、射出成形品の形状をＡ金型の側に保持させやすいようにしなくとも、成形同時加飾成形品をＡ金型の側に保持させることができるため、成形同時加飾成形品の形状の選択範囲が拡大する効果がある。
【発明を実施するための最良の形態】
【００１１】
以下、図面を参照しながら本発明の第１態様の成形同時加飾成形品の製造方法の発明を説明する。この発明の成形同時加飾成形品１０の製造方法は、転写シート２をＡ金型５に配置し、加飾シート３をＢ金型６に配置した後、Ａ金型５とＢ金型６との型閉めにより成形用空間部１２を形成し、該成形用空間部１２にゲート８から成形樹脂７を注入して（図１参照）、成形と同時に成形樹脂層１の表面に加飾シート３、裏面に転写シートを一体化形成させるものであって、型開き後に成形同時加飾成形品１０をＡ金型５に保持させることを特徴とする（図２参照）。
【００１２】
Ａ金型５は、従来と同様に方形状等に形成されるもので、その周端部にはＢ金型６と直接接触する基準面１３を備える。この基準面１３により囲まれた内側部分には、成形品の外形に適合した形状の凹部１４が形成されている（図７参照）。一方、Ｂ金型６は、Ａ金型５に対応した幅及び高さの方形状等に形成されるもので、Ａ金型５と直接接触する平面たる基準面１３を備える。この基準面１３により囲まれた内側部分には、成形品の外形に適合した形状の凹部１４が形成されている（図８参照）。
【００１３】
そして、転写シート２および加飾シート３を挟んで、Ａ金型５の基準面１３とＢ金型６の基準面１３とが相互に接するように重ね合わせた状態（図１参照）において、Ａ金型５の凹部１４（図７参照）にはＢ金型６の凹部１４（図８参照）が配置される。そして、転写シート２と加飾シート３の間に成形空間部１２が形成され、Ｂ金型６の凹部１４の一部はゲート８となり、成形樹脂７がこのゲート８を介して成形空間部１２に注入される（図１参照）。この成形空間部１２の高さ、幅及び厚みは、成形品の所定の高さ、幅及び厚みに相当する。
【００１４】
そして、成形空間部１２内に成形樹脂７が注入され固化されれば、成形樹脂層１と転写シート２および加飾シート３とが接着し一体化する。その後、Ａ金型５とＢ金型６とを開けば、加飾シート３のＢ金型６からの離型重さが転写シート２の転写層２０の離型重さよりも低いので、Ｂ金型６から加飾シート３が離れて、成形樹脂層１の表面に加飾シート３および裏面に転写シート２が接着一体化された成形同時加飾成形品１０がＡ金型５に保持される（図２参照）。
【００１５】
その後、射出成形金型のＡ金型５に付設されたエジェクタピン４（図７参照）が成形同時加飾成形品１０を突き出すことにより、転写シート２の基体シート２１から転写層２０が離れて、成形樹脂層１の表面に加飾シート３、裏面に転写層２０が接着一体化された成形同時両面加飾成形品１１が得られる（図３、図４参照）。この成形同時両面加飾成形品１１は表面が加飾シート３で覆われているため、従来の成形同時両面転写成形品よりも耐性に優れる効果がある。
【００１６】
そして、エジェクタピン４によって射出成形金型のＡ金型５から脱離した成形同時両面加飾成形品１１は、回収装置１５によって金型から取り出される（図３参照）。回収方法としては、吸引による吸い付きの方法のほか、挟んで捕まえる方法などがある。なお、エジェクタピン４は、油圧などの圧力によって駆動する。
【００１７】
つぎに、本発明に使用する転写シート２および加飾シート３を説明する。
【００１８】
転写シート２は、基体シート２１上に成形後剥離可能な転写層２０が形成されるシートである。転写層２０の一例としては剥離層２２、図柄層２３、接着層２４が順次積層されたものがある（図５参照）。転写シート２と成形樹脂層１とが接着した後は、基体シート２１が剥離除去され転写層２０が成形樹脂層１上に形成される。
【００１９】
なお、転写シート２の基体シート２１上には、剥離層２２との離型を調整するための離型層２５を形成しておいてもよい。また、転写シート２の図柄層２３が剥離性を有する場合は剥離層２２を、図柄層２３が接着性を有する場合は接着層２４を、それぞれ省略してもよい。また、剥離層２２と図柄層２３または 図柄層２３と接着層２４との間に密着を良くするためのアンカー層２６を形成しておいてもよい。
【００２０】
加飾シート３は、基体シート３０上に剥離しない加飾層が形成されるシートである。加飾層の一例としては図柄層３３、接着層３４が順次積層されたものがある（図６参照）。加飾シート３と成形樹脂層１とが接着一体化することにより、成形同時加飾成形品１０が形成される。
【００２１】
なお、加飾シート３の基体シート３０には図柄層３３、接着層３４との密着を良くするためのアンカー層３５を形成しておいてもよい。また、図柄層４０と接着層３４との間にも、密着を良くするためのアンカー層３５を形成しておいてもよい。また、図柄層４０が接着性を有する場合は接着層３４を省略してもよい。
【００２２】
基体シート２１，３０の材質は、ポリエステル系樹脂、塩化ビニル系樹脂、アクリル系樹脂、ポリカーボネート系樹脂、ポリプロピレン系樹脂、ポリエチレン系樹脂、ポリウレタン系樹脂、ポリスチレン系樹脂、アセテート系樹脂、ポリアミド系樹脂などが好ましい。
【００２３】
基体シート２１，３０の膜厚は５μｍ〜５ｍｍが好ましい。膜厚が５μｍより薄いと、シートに剛性がなく皺が入りやすいという問題があり、５ｍｍより厚いと、剛性がありすぎて取り扱いにくいという問題があるためである。
【００２４】
基体シート２１，３０の形成方法は、押出成形、カレンダー成形、キャストなどの汎用の製膜方法で構わない。なお、基体シート１は、必要に応じて印刷層を形成する側の表面に予めコロナ放電処理、プラズマ処理、易接着プライマーコート処理等の易接着処理を施しておいてもよい。
【００２５】
離型層２５の材質は、メラミン系樹脂、シリコン系樹脂、フッ素系樹脂、アルキッド系樹脂、フェノール系樹脂を挙げることができ、剥離層からの離型性に応じて、適宜、好ましい材料を選択する。
【００２６】
離型層２５の膜厚は０．５μｍ〜５０μｍが好ましい。膜厚が０．５μｍより薄いと、十分な離型性が得られないという問題があり、５０μｍより厚いと、印刷後に乾燥し難いという問題があるためである。
【００２７】
離型層２５の形成方法は、グラビア印刷、オフセット印刷、スクリーン印刷などの方法でも、塗装、ディッピング、リバースコーターなどの方法でもよい。
【００２８】
剥離層２２の材質としては、アクリル系樹脂、ビニル系樹脂、ウレタン系樹脂、ポリエステル系樹脂、ポリプロピレン系樹脂、ポリエチレン系樹脂、ポリスチレン系樹脂、ポリカーボネート系樹脂、ビニロン系樹脂、アセテート系樹脂、ポリアミド系樹脂を挙げることができ、離型層からの剥離性に応じて、適宜、好ましい材料を選択する。
【００２９】
剥離層２２の膜厚は０．５μｍ〜５０μｍが好ましい。膜厚が０．５μｍより薄いと、十分な剥離性が得られないという問題があり、５０μｍより厚いと、印刷後に乾燥し難いという問題があるためである。
【００３０】
剥離層２２の形成方法は、グラビア印刷、オフセット印刷、スクリーン印刷などの方法でも、塗装、ディッピング、リバースコーターなどの方法でもよい。
【００３１】
図柄層２３、３３は木目柄、石目柄、布目柄、文字、幾何学模様、ベタパターン等の加飾したい絵柄を形成した層である。なお、図柄層２３、３３は並列して複数形成してもよい。また、図柄層２３、３３には、必要に応じて金属膜層を設けてもよい。この場合、金属膜層は全面でもパターン状でもよい。
【００３２】
図柄層２３、３３の材質は、ポリエステル系樹脂、アクリル系樹脂、ビニル系樹脂、硝化綿系樹脂、ウレタン系樹脂、塩化ゴム系樹脂などを挙げることができるが、特に限定されない。また、金属膜層の場合には、アルミニウム、クロム、銅、ニッケル、インジウム、錫、酸化珪素などを挙げることができるが、特に限定されない。。
【００３３】
図柄層２３、３３の膜厚は０．５μｍ〜５０μｍが好ましい。膜厚が０．５μｍより薄いと、十分な意匠性が得られないという問題があり、５０μｍより厚いと、印刷後に乾燥し難いという問題があるためである。ただし、金属膜層の場合は１５０Å〜１２００Åが好ましい。膜厚が１５０Åより薄いと、十分な意匠性が得られないという問題があり、１２００Åより厚いと、クラックが生じやすいという問題があるためである。
【００３４】
図柄層２３、３３の形成方法は、グラビア印刷、オフセット印刷、スクリーン印刷などの方法でも、塗装、ディッピング、リバースコーターなどの方法でもよい。金属膜層の場合には、真空蒸着やメッキ等の方法がある。
【００３５】
接着層２４、３４の材質としては、アクリル系樹脂、ビニル系樹脂、ウレタン系樹脂、ポリエステル系樹脂、ポリプロピレン系樹脂、ポリエチレン系樹脂、ポリスチレン系樹脂、ポリカーボネート系樹脂、ビニロン系樹脂、アセテート系樹脂、ポリアミド系樹脂を挙げることができ、成形樹脂との接着性に応じて、適宜、好ましい材料を選択する。
【００３６】
接着層２４、３４の膜厚は０．５μｍ〜１０μｍが好ましい。膜厚が０．５μｍより薄いと、十分な密着が得られないという問題があり、１０μｍより厚いと、印刷後に乾燥し難いという問題があるためである。
【００３７】
接着層２４、３４の形成方法は、グラビア印刷、オフセット印刷、スクリーン印刷などの方法でも、塗装、ディッピング、リバースコーターなどの方法でもよい。
【００３８】
アンカー層２６、３５の材質としては、アクリル系樹脂、ビニル系樹脂、ウレタン系樹脂、ポリエステル系樹脂、ポリプロピレン系樹脂、ポリエチレン系樹脂、ポリスチレン系樹脂、ポリカーボネート系樹脂、ビニロン系樹脂、アセテート系樹脂、ポリアミド系樹脂を挙げることができ、成形樹脂との接着性に応じて、適宜、好ましい材料を選択する。
【００３９】
アンカー層２６、３５の膜厚は０．５μｍ〜１０μｍが好ましい。膜厚が０．５μｍより薄いと、十分な密着が得られないという問題があり、１０μｍより厚いと、印刷後に乾燥し難いという問題があるためである。
【００４０】
アンカー層２６、３５の形成方法は、グラビア印刷、オフセット印刷、スクリーン印刷などの方法でも、塗装、ディッピング、リバースコーターなどの方法でもよい。
【００４１】
転写シート２の形態は、巻きロールなどの長尺状のものが好ましい。転写シート２をＢ金型６側のシート送り装置に固定し一定の張力に保持した方が、型開きにより転写シート２の基体シート２１と成形同時加飾成形品１０とが離れやすくなるためである。
【００４２】
転写シート２の転写層の離型重さは、１０〜５００ｇ重／ｃｍが好ましい。１０ｇ重／ｃｍ未満であると成形樹脂の流動する圧力で転写層が動いて所望の位置に形成することができなくなり（表１参照）、５００ｇ重／ｃｍを超えると転写層２０が離型しなくなるためである。
【００４３】
転写シート２の転写層の離型重さを測定する方法は、幅１ｃｍの転写シート２を被転写板１７に貼り付けた後、被転写板１７の端部を片方のチャック１６で固定し、その後に転写シート２の基体シート２１を２ｃｍ剥がし、１８０°に折り曲げて基体シート２１を他方のチャック１６で固定して、環境温度２５℃下で引張って剥離強度を測定する方法である（図９参照）。
【００４４】
加飾シート３の形態は、所定の寸法にカットされた枚葉状のものであってもよいし、巻きロールなどの長尺状のものであってもよい。
【００４５】
加飾シート３のＢ金型からの離型重さは、１００ｇ重／ｃｍ未満が好ましい。１００ｇ重／ｃｍ以上であると型開きの際に成形同時加飾成形品１０が金型に引っかかって破損してしまう場合があるからである。
【００４６】
そして、転写シート２の転写層の離型重さが加飾シート３のＢ金型からの離型重さの１．１倍以上であることが好ましい。転写シートの転写層の離型重さが加飾シートのＢ金型からの離型重さの１．１倍未満であると、Ｂ金型に成形同時加飾成形品１０が保持されてしまう場合があるからである（実施例１、表１参照）。
【００４７】
上記のようにする手段として、加飾シート２の加飾層と反対面に、加飾シート２が金型Ｂと離型しやすくなるための離型オーバーコート層３６を設ける方法がある。
【００４８】
離型オーバーコート層３６の材質としては、シリコン系樹脂、メラミン系樹脂、フッ素系樹脂などを挙げることができ、金型Ｂとの離型性に応じて、適宜、好ましい材料を選択する。
【００４９】
離型オーバーコート層３６を設ける方法は、グラビア印刷、オフセット印刷、スクリーン印刷などの方法でも、塗装、ディッピング、リバースコーターなどの方法でもよい。あるいは、離型オーバーコート層３６を予めフィルム化しておきラミネート法により形成してもよい。
【００５０】
なお、離型重さを測定する方法は、幅１ｃｍの加飾シート３をＢ金型の金型薄片板１８に貼り付けた後、金型薄片板１８の端部を片方のチャック１６で固定し、その後に基体シート２１を２ｃｍ剥がし、１８０°に折り曲げて他方のチャック１６で固定して、環境温度２５℃下で引張って剥離強度を測定する方法である（図１０参照）。
【００５１】
また、加飾シート３が金型Ｂと離型しやすいようにするために、Ｂ金型に型開きと同時に作動する第二エジェクタピン９を付設してもよい（図８参照）。
【００５２】
第二エジェクタピン９の形状はとくに限定されないが、加飾シート３の表面を押圧するので傷つきを防止するために先端部分には微小のＲを設けるのが好ましい。付設位置は１本なら成形空間部１２の中央付近が好ましく、複数本なら各端部に均等割合で設けるのが好ましい。
【実施例１】
【００５３】
厚み３８μmのポリエチレンテレフタレートフィルム（易接着処理）からなる基体シート上に様々な比率のメラミン樹脂とシリコン樹脂からなる離型層を形成し、次いでウレタン樹脂系の二液硬化型インキを用いて剥離層をグラビア印刷法により形成した。これを１２０℃で５分間熱処理後、真空蒸着法にて厚み６００±５０Åのアルミニウム金属膜からなる図柄層をパターン形成し、次いで塩化ビニル酢酸ビニル共重合体樹脂からなる接着層をグラビア印刷法により形成することにより、様々な離型重さの転写シートを用意した。
【００５４】
一方、厚み１２５μmのアクリルフィルムからなる基体シート上にアクリル樹脂と塩化ビニル樹脂が重量％１：１からなる木目柄の図柄層をパターン形成し、次いで塩化ビニル樹脂からなる接着層をグラビア印刷法により形成することにより加飾シートを用意した。加飾シートの離型重さは２０ｇ重／ｃｍであった。
【００５５】
用意した様々な離型重さの転写シートをエジェクタピンが付設された射出成形金型のＡ金型に配置し、加飾シートをＢ金型に配置した後、アクリロニトリルブタジエンスチレン共重合体樹脂からなる成形樹脂を注入し、冷却固化させて転写シートおよび加飾シートと成形樹脂とを一体化させた後、射出成形金型を開いたところ表１の結果が得られた。
【００５６】
【表１】
2005104002.tif 000003
※転写層の形成位置の可否は、転写層がほぼ所望の位置に形成されている場合には○、成形樹脂の流動する圧力で転写層が動いて所望の位置に形成することができない場合に×とする。
【００５７】
そして、成形同時加飾成形品がＡ金型側に保持された場合には、Ａ金型のエジェクタピンによる突き出しで、転写シートから基体シートが剥がされ成形同時両面加飾成形品をが得ることができ、吸引装置の付いた回収装置によって連続的かつ安定的に成形同時両面加飾成形品を回収することが可能であった。
【実施例２】
【００５８】
厚み３８μmのポリエチレンテレフタレートフィルム（易接着処理）からなる基体シート上にメラミン樹脂からなる離型層を形成し、次いでアクリル樹脂と塩化ビニル酢酸ビニル共重合体樹脂が重量％２：１からなる剥離層をグラビア印刷法により形成し、次いで塩化ビニル酢酸ビニル共重合体樹脂からなる図柄層をグラビア印刷法により形成した。転写シートの離型重さは２０ｇ重／ｃｍであった。
【００５９】
一方、厚み１２５μmのアクリルフィルムからなる基体シート上にアクリル樹脂と塩化ビニル樹脂が重量％１：１からなる木目柄の図柄層をパターン形成し、次いで塩化ビニル樹脂からなる接着層をグラビア印刷法により形成することにより加飾シートを用意した。加飾シートの離型重さは２０ｇ重／ｃｍであった。
【００６０】
用意した転写シートをエジェクタピンが付設された射出成形金型のＡ金型側に配置し、加飾シートを第二エジェクタピンが付設されたＢ金型に配置した後、アクリロニトリルスチレン共重合体樹脂からなる成形樹脂を注入し、冷却固化させて転写シートおよび加飾シートの転写層と成形樹脂とを一体化させた後、射出成形金型を開いたところ第二エジェクタピンの突き出しにより成形同時加飾成形品がＡ金型側に保持された。
【００６１】
そして、Ａ金型のエジェクタピンによる突き出しで、転写シートから基体シートが剥がされ成形同時両面加飾成形品を得ることができ、吸引装置の付いた回収装置によって連続的かつ安定的に成形同時両面加飾成形品を回収することが可能であった。
【産業上の利用可能性】
【００６２】
この発明によって得られた成形同時両面加飾成形品は、携帯通話機器の上蓋や下蓋、電子応用玩具の表面部品や外装部品、炊飯器入力部パネルや自動車内外装パネル、パチンコ台の外枠などに利用できる。
【図面の簡単な説明】
【００６３】
図面は、何れも、本発明に係る成形同時加飾成形品の製造方法並びにこれらに用いる射出成形金型、転写シート、加飾シート、離型重さ測定装置およびこれらを用いて得られた成形同時両面加飾成形品の一実施例を示す。
【図１】Ａ金型とＢ金型との間に転写シートおよび加飾シートを挿入し、型締め後、成形樹脂を射出し、成形樹脂が成形空間部に充填される途中の状態を示す射出成形金型の断面図である。
【図２】型開後、成形同時加飾成形品がＡ金型に保持された状態を示す射出成形同時加飾用金型の断面図である。
【図３】回収装置が成形同時両面加飾成形品を回収する状態を示す射出成形同時加飾用金型の断面図である。
【図４】回収された成形同時両面加飾成形品の断面図である。
【図５】本発明に係る転写シートの断面図である。
【図６】本発明に係る加飾シートの断面図である。
【図７】射出成形金型のＡ金型の断面図である。
【図８】射出成形金型のＢ金型の断面図である。
【図９】転写シートの離型重さ測定装置の概略断面図である。
【図１０】加飾シートの離型重さ測定装置の概略断面図である。
【符号の説明】
【００６４】
１  成形樹脂層
２  転写シート
３  加飾シート
４  エジェクタピン
５  Ａ金型
６  Ｂ金型
７  成形樹脂
８  ゲート
９  第二エジェクタピン
１０  成形同時加飾成形品
１１  成形同時両面加飾成形品
１２  成形空間部
１３  基準面
１４  凹部
１５  回収装置
１６  チャック
１７  被転写板
１８  金型薄片板
２０  転写層
２１、３０  基体シート
２２  剥離層
２３、３３  図柄層
２４、３４  接着層
２５  離型層
２６、３５  アンカー層
３０  加飾層
３６  離型オーバーコート層
【図１】
2005104002.tif 000004
【図２】
2005104002.tif 000005
【図３】
2005104002.tif 000006
【図４】
2005104002.tif 000007
【図５】
2005104002.tif 000008
【図６】
2005104002.tif 000009
【図７】
2005104002.tif 000010
【図８】
2005104002.tif 000011
【図９】
2005104002.tif 000012
【図１０】
2005104002.tif 000013